(57)【要約】【課題】設置工事等の必要がなく且つ設置スペースを取らず、持ち運びも可能で比較的低コストにて供給でき、一般家庭においても手軽に使用することができる簡易岩盤浴装置を提供することを課題とする。【解決手段】上面２を有する箱枠状の木製フレーム１を設け、前記上面２には適宜サイズの収納開口３を並設してそこに石盤４を嵌め込み、前記石盤４の下に、ヒーター６を２枚の放熱板７、８で挟んで成る放熱層を、その上側の放熱板７が前記石盤４の裏面に密着するように配設し、前記放熱層の下に断熱材９を配置して成る。【選択図】図２
0003119910.tif 000002
【実用新案登録請求の範囲】
【請求項１】
上面を有する箱枠状の木製フレームを設け、前記上面には適宜サイズの収納開口を並設してそこに石盤を嵌め込み、前記石盤の下に、ヒーターを２枚の放熱板で挟んで成る放熱層を、その上側の放熱板が前記石盤の裏面に密着するように配設し、前記放熱層の下に断熱材を配置して成る簡易岩盤浴装置。
【請求項２】
上面を有する箱枠状の木製フレームを設け、前記上面には適宜サイズの収納開口を並設してそこに石盤を嵌め込み、前記石盤の下に、ヒーターを２枚の放熱板で挟んで成る放熱層を、その上側の放熱板が前記石盤の裏面に密着するように配設し、前記放熱層の下に断熱材を配置して成る同一サイズの岩盤浴ユニットを２つ設け、前記岩盤浴ユニットを単独で及び縦につなげて使用することを可能にした簡易岩盤浴装置。
【請求項３】
前記放熱層の上側の放熱板の内面を黒色塗装した請求項１又は２に記載の簡易岩盤浴装置。
【請求項４】
上面を有する箱枠状の木製フレームを設け、前記上面には適宜サイズの収納開口を並設してそこに石盤を嵌め込み、前記石盤の下に、その裏面に密着するように面状発熱体を設置し、前記面状発熱体の下に断熱材を配置して成る簡易岩盤浴装置。
【請求項５】
上面を有する箱枠状の木製フレームを設け、前記上面には適宜サイズの収納開口を並設してそこに石盤を嵌め込み、前記石盤の下に、その裏面に密着するように面状発熱体を設置し、前記面状発熱体の下に断熱材を配置して成る同一サイズの岩盤浴ユニットを２つ設け、前記岩盤浴ユニットを単独で及び縦につなげて使用することを可能にした簡易岩盤浴装置。
【考案の詳細な説明】
【技術分野】
【０００１】
本考案は簡易岩盤浴装置、より詳細には、人体を接触させることを前提とした簡易岩盤浴装置に関するものである。
【背景技術】
【０００２】
岩盤浴は、温泉若しくは地熱で適度に加熱された天然岩盤上に、浴衣掛けで寝ることにより遠赤外線を浴びるもので、人体に好ましい効果が得られると考えられている。しかし、しばしば温泉等に出かけるには時間や費用の面で問題があるため、擬似的な岩盤浴装置が考えられ、市中の入浴施設やエステサロン等に設置されている。
【０００３】
この入浴施設やエステサロン等で採用されている擬似的な岩盤浴装置はあくまで業務用であって、設置工事等を必要とする大掛かりなものが多く、一般家庭やスペースをあまり確保できない施設等に設置して使用するのには適さない。
【０００４】
そこで、より簡易化して、運搬をも可能にし、より広範囲に利用可能にすることを企図したものも提案されているが（例えば、実用新案登録第３１１６０１７号公報）、それは、未だ、設置スペースの少ない一般家庭において使用するのに適当と言える程度にまでは簡易化されておらず、コスト上の問題も残る。
【特許文献１】実用新案登録第３１１６０１７号公報
【考案の開示】
【考案が解決しようとする課題】
【０００５】
本考案は、上記従来の擬似的ないし可搬式岩盤浴装置における問題点に鑑みてなされたもので、設置工事等の必要がなく且つ設置スペースを取らず、持ち運びも可能で比較的低コストにて供給でき、一般家庭においても手軽に使用することができる簡易岩盤浴装置を提供することを課題とする。
【課題を解決するための手段】
【０００６】
上記課題を解決するための請求項１に記載の考案は、上面を有する箱枠状の木製フレームを設け、前記上面には適宜サイズの開口を形成してそこに石盤を嵌め込み、前記石盤の下に、ヒーターを２枚の放熱板で挟んで成る放熱層を、その上側の放熱板が前記石盤の裏面に密着するように配設し、前記放熱層の下に断熱材を配置して成る簡易岩盤浴装置である。
【０００７】
上記課題を解決するための請求項２に記載の考案は、上面を有する箱枠状の木製フレームを設け、前記上面には適宜サイズの収納開口を並設してそこに石盤を嵌め込み、前記石盤の下に、ヒーターを２枚の放熱板で挟んで成る放熱層を、その上側の放熱板が前記石盤の裏面に密着するように配設し、前記放熱層の下に断熱材を配置して成る同一サイズの岩盤浴ユニットを２つ設け、前記岩盤浴ユニットを単独で及び縦につなげて使用することを可能にした簡易岩盤浴装置である。
【０００８】
好ましくは、前記放熱層の上側の放熱板の内面を黒色塗装して、その熱伝導性を向上させるようにする。
【０００９】
上記課題を解決するための請求項４に記載の考案は、上面を有する箱枠状の木製フレームを設け、前記上面には適宜サイズの収納開口を並設してそこに石盤を嵌め込み、前記石盤の下に、その裏面に密着するように面状発熱体を設置し、前記面状発熱体の下に断熱材を配置して成る簡易岩盤浴装置である。
【００１０】
上記課題を解決するための請求項５に記載の考案は、上面を有する箱枠状の木製フレームを設け、前記上面には適宜サイズの収納開口を並設してそこに石盤を嵌め込み、前記石盤の下に、その裏面に密着するように面状発熱体を設置し、前記面状発熱体の下に断熱材を配置して成る同一サイズの岩盤浴ユニットを２つ設け、前記岩盤浴ユニットを単独で及び縦につなげて使用することを可能にした簡易岩盤浴装置である。
【考案の効果】
【００１１】
本考案は上記のとおりであって、非常にシンプルな構成で比較的廉価にて供給でき、設置工事等の必要がなく、少ないスペースでの使用が可能で、しかも自由に持ち運ぶことができて、一般家庭においても手軽に使用し得る効果がある。
【考案を実施するための最良の形態】
【００１２】
本考案を実施するための最良の形態について、添付図面に依拠して説明する。図１は本考案に係る簡易岩盤浴装置の一実施形態を示す斜視図であり、図２は図１におけるＡ−Ａ線断面図である。
【００１３】
図中１は、木製上面２を有する箱枠状の木製フレームで、全長に亘って一体のものとしてもよいが、図示した実施形態のように、同一サイズのものを２つ用意し、それらを縦方向につなげて使用するようにすることが好ましい。その場合は、不使用時に２つのユニットＵを重ねておくことができるために、保管スペースを取らない。以下の説明は、この２分割タイプの１つのユニットＵに関するものであるが、一体のものも、これに準じた構成である。
【００１４】
通例、上面２は木製フレーム１と面一にされ、中央部に、石盤４を嵌め込むための収納開口３が縦方向に並設される。収納開口３は、例えば、３０ｃｍ×３０ｃｍの正方形とされるが、そのサイズ及び形状はこれに限定されるものではなく、円形、六角形等とすることもできる。
【００１５】
木製フレーム１の短尺壁間に複数本の主受材５、５が渡され、図示してないが、この縦方向の主受材５、５の端部間に、横方向の主受材が渡される。上面２は、これら主受材５、５と木製フレーム１との間に架け渡されて固定される（図２参照）。また、岩盤４は、収納開口３に嵌合され、主受材５、５上に載せられて支持される。
【００１６】
石盤４は収納開口３に対応する形状及びサイズ、即ち、例えば約３０ｃｍ×３０ｃｍの正方形とされる。岩盤４は、好ましくは、加熱されることによって遠赤外線を放出する、例えば、角閃石、ブラックシリカ等の鉱石を用いて成形する。
【００１７】
石盤４の下の主受材５、５間には、放熱層が配置される。放熱層は、ヒーター６を２枚の放熱板７、８で挟んで構成され、上側の放熱板７が石盤４の裏面に密着するように配置される。放熱板７、８は例えばアルミニウム板で、好ましくは、上側の放熱板７の内面が、熱伝導率を向上させるために黒色塗装される。図示した例では上側の放熱板７は１枚の連続したものであり、下側の放熱板８は、中間の主受材５を挟んで二分されている。
【００１８】
ヒーター６としては、自己温度制御性発熱体を用いることが好ましい。この自己温度制御性発熱体は、一定の温度に近づくと、ヒーターエレメントの固有抵抗値が急増して電流を制御し、温度上昇を自動的に制御するものである。ヒーター５は、電気毛布やホットカーペットのように手元ダイヤルで温度調整できるようにしてもよいが、低音火傷を避けるために、ダイヤルの調整温度幅は狭い範囲のものとすることが好ましい。図示した例では、ヒーター６は２つ用いられている。
【００１９】
放熱層の下には断熱材９が配備される。断熱材９は、捨板１０を介し、主受材５、５の内側面に固定された捨板押え１１、１１上に保持される。なお、１２は電源コード、１３は、２つのユニットＵのヒーター６を電気的に接続するための通電用コードである。通電用コード１３は、不使用時に取り外し可能にすることができる。
【００２０】
本考案に係る簡易岩盤浴装置は、使用に際し、ヒーター６に通電すると、放熱板７を介して石盤４が所定温度まで暖まり、その温度が維持される。使用に際しては、適宜枕１４を用い、うつぶせ又は仰向けになってユニットＵ上に寝ることにより、岩盤浴効果が得られる（図３参照）。
【００２１】
第２の実施形態においては、ヒーター６の代わりに面状発熱体が用いられる。面状発熱体は、例えば、ガラス繊維を織った織布、合成樹脂製フィルム等の柔軟性のある平面状の基材に、導電性カーボンの粉末を接着剤に混入させた半導電性塗料を含浸又はコーティング加工して導電性を与えて電気抵抗体とし、基材の一方の面の両側辺に沿って電源供給用電極を配設し、基材全体をポリエステルをベースにした合成樹脂フィルムから成る２枚の絶縁フィルム間にラミネート装置で封着し、絶縁処理したものである。
【００２２】
面状発熱体は、石盤４の裏面に直接密着するように配設され、その下に配置される断熱材によって支持される。その他の構成及び使用法は、第１の実施形態に準じる。
【００２３】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２４】
【図１】本考案に係る簡易岩盤浴装置の一実施形態を示す斜視図である。
【図２】図１におけるＡ−Ａ線断面図である。
【図３】本考案に係る簡易岩盤浴装置の使用状態図である。
【符号の説明】
【００２５】
１    木製フレーム
２    木製上面
３    収納開口
４    石盤
５    主受材
６    ヒーター
７、８  放熱板
９    断熱材
１０  捨板
１１  捨板押え
１２  電源コード
１３  通電用コード
１４  枕
【図１】
0003119910.tif 000003
【図２】
0003119910.tif 000004
【図３】
0003119910.tif 000005